(57)【要約】複数の構成部品（１、１０；３２）からなるカプセル組立製品（２１、４１）向けの処理が公開される。各構成部品が少なくとも部分的なカプセル化によって順番に形成されることによって、接着、釘打ちの必要が避けられるかあるいはさもなければ構成部品の個々の要素（２〜４，１１〜１２，１５；３１）が所定位置に固定される。該構成部品は後続のカプセル化段階に先だって容易に貯蔵そして／または操作可能である。多数のワイヤリングハーネス（１，１０）が含まれるケーブルトレイ（２１）および多段パレット（４１）の製作が具体的に公開される。
2007516866.tif 000002
【特許請求の範囲】
【請求項１】
複数部分の物品が熱変形可能なプラスチックの一枚以上の板とともに部分的あるいはほぼ全体的にカプセルとなる中間あるいは初期の段階として、予め決められた関係または形状に前記の少なくとも２つの部分が維持されるように熱変形可能なプラスチック板を利用して前記部分の少なくとも２つが少なくとも部分的にカプセルとされる段階、ならびにさらに前記中間あるいは初期の段階に後続する段階としてさらに前記の少なくとも２つの部分と一体の部分が少なくとも部分的にカプセルとされる段階が含まれる処理方法。
【請求項２】
前記中間あるいは初期の段階中に前記の少なくとも２つの部分が単一の前記板によって片側から部分的にカプセルとされることを特徴とする請求項１に記載の処理方法。
【請求項３】
前記の後続する段階中に前記の少なくとも２つの部分が前記の側とは反対側から少なくとも部分的にカプセルとされることを特徴とする請求項２に記載の処理方法。
【請求項４】
前記の後続する段階中に前記の少なくとも２つの部分が前記の反対側ならびに前記の側から少なくとも部分的にカプセルとされることを特徴とする請求項３に記載の処理方法。
【請求項５】
前記の後続の段階中に前記複数部分の物品がほぼ全体的にカプセルとされることを特徴とする請求項３あるいは請求項４に記載の処理方法。
【請求項６】
前記の少なくとも部分がほぼ平たな形状で前記中間あるいは初期の段階に少なくとも部分的にカプセルとされることを特徴とする請求項２から請求項５のいずれかひとつに記載の処理方法。
【請求項７】
前記の少なくとも２つの部分がほぼ平らな形状の前記の後続の段階で少なくとも部分的にカプセルとされることを特徴とする請求項６に記載の処理方法。
【請求項８】
前記の少なくとも２つの部分にワイヤリングハーネスの構成部品が含まれることを特徴とする請求項６あるいは請求項７に記載の処理方法。
【請求項９】
前記中間あるいは初期の段階に少なくとも部分的にカプセルとされる前記の少なくとも２つの部分がそれぞれ平らな形状を有することを特徴とする請求項２から請求項５のいずれかひとつに記載の処理方法。
【請求項１０】
前記中間あるいは初期の段階の部分的なカプセル化後に、ほぼ環状の構成部品が前記の平らな部分から形成されることを特徴とする請求項９に記載の処理方法。
【請求項１１】
前記の後続する段階中に前記構成部品が少なくとも部分的に環状の組立製品が形成されてカプセルとされることを特徴とする請求項１０に記載の処理方法。
【請求項１２】
前記環状組立製品に多段パレットケージが含まれることを特徴とする請求項１１に記載の処理方法。
【請求項１３】
請求項１から請求項１２のいずれかひとつに記載の、処理方法によって製作される部分的あるいはほぼ全体的にカプセルとされる複数片物品。
【請求項１４】
請求項１３に記載され、ワイヤリングハーネス、ケーブルトレー、パレットならびにパレット用ケージから構成されるグループから選別される物品。
【発明の詳細な説明】
【技術分野】
【０００１】
本発明は「ARMACEL」（登録商標）処理を用いて製作される複数片物品に関する。本処理方法は基本的に一段あるいは複数段のプラスチック材料で部分的にあるいはほぼ全体的に物品をカプセル化する。
【背景技術】
【０００２】
ポリスチレンや厚紙のような特に弱い基板をもとにした構造用品の形成用の「ARMACEL」処理および装置が本出願人の「構造用品成型用の方法と装置」と題する国際ＰＣＴ特許出願PCT/AU95/00100（WO 95/23682）、「段状構造品」と題する国際ＰＣＴ特許出願PCT/AU96/00541（WO 97/09166）、国際ＰＣＴ特許出願PCT/AU00/00250(WO 00/59709) に公開されているとともに、この３点の内容が相互参照によってここに本明細書に組込まれている。さらに、最近の未発表の明細書が、少なくとも部分的に流体が浸透可能でもなくまたそうなるよう穿孔もされない内部構成物のカプセル化が公開される国際特許出願PCT/AU2004/00086（２００３年６月２５日提出の豪州特許出願第2003 903 211号の優先が請求される）のそれである。該明細書の公開内容もまたここに相互参照によって組込まれている。
【０００３】
これらの明細書には内部構成物および少なくともひとつの外皮が定められる形状をもとにした構造用品の成型が公開されている。本方法の基本段階には、１．外皮の成型が予定される板の加熱、２．加熱板の内部構成物と一体の持ち込み、３．内部構成物の向かい合う面と内部構成物の形状に該板が合わせられるための板との間の差分流体圧の加圧ならびに相互の一体化、ならびに、４．板が冷却するまでの差分流体圧の維持が含まれる。
【０００４】
本発明は「ARMACEL」処理法の予定外の追加開発から生じるとともに、次のようにして生まれる。ある単体の物品は、カプセル化される（部分的かあるいはほぼ全体的に）よう予定される場合、カプセル化に先立って取扱いが可能となるよう、とりわけ、装置中に装填されるとともにカプセル化処理を受けるために準備される定盤上に置かれる
【０００５】
しかしながら、カプセル化される物品が数個の片から形成される場合には、これらの部品は定盤上で予定された最終形状に保持されなくてはならなかった。
【０００６】
これは２通りの方法で行われ得る。一つの方法は、定盤上に置かれるまでに複数片物品がその最終形状に成型されるとともに定盤への配置が行い得るだけの十分に強度のある少なくとも半恒久的な方法で複数片が一体に保持されることであった。例えば、ポリスチレンあるいは厚紙の片から製作される物品が、予定された最終組立製品が形成されるよう一体に粘着されるかあるいは接着される。同様に、木片類から製作される物品は、被組立物品が定盤上に置かれることが可能なよう一体に釘留めされるかあるいは恐らくはネジ止めされる。この締結具および／または接着剤の利用により比較的時間が消費されるものであった（特に、接着剤が乾燥するのを待つのに）と同時に、該締結具類および／または接着剤は仕上がり製品の強度に大きくは寄与しなかった（代わって、これは基本的にカプセル化から生ずる強度によって決定された）。
【０００７】
もう一つの方法は複数片物品が定盤自身上に組立てられることであった。片類の形状に応じて、片類が単純に相互に支え合うとともに、重力の影響下でその予定された最終形状に保持されることが可能となり得る時もあった。この方法は成功の可能性はあるけれども、この作用のなりゆき次第により片類が加熱されたプラスチック皮の加圧中に移動し得るという危険が心配であり、この場合にはカプセルとなる物品が所望の最終形状とならずに崩壊してしまう。あるいは、片類は定盤上に組立てられた時に一体に粘着され、釘留めされ、接着されてしまう可能性があった。しかしながら、これは上述の最初の方法と本質的に特に異なるものではなかった。
【発明の開示】
【０００８】
本発明の目的は複数片物品カプセルの製造速度が上がる方法を見いだすとともに、様々な片類が一体に釘止めされるおよび／または接着される欠点を避けることにある。意外にも、ある製品あるいは構成部品の構成片が一体に保持される全体工程の中間あるいは初期段階で「ARMACEL」処理自体が利用されることが有利であると判明した。
【０００９】
本発明の第１側面によると、部分的あるいはほぼ全体的に複数片物品が１枚以上のプラスチック板でカプセルとなる処理が公開され、前記処理には中間あるいは初期の段階として、少なくとも２つの前記部分がプラスチックの板とともに少なくても部分的にカプセルとなって前記少なくとも２つの部分が予め決められた関係あるいは形状に維持される段階が含まれるとともに、前記処理にはさらに前記中間あるいは初期の段階に後続する段階として、さらに、前記少なくとも２部分が追加部分と一体に少なくとも部分的にカプセルとなる段階が含まれる。
【００１０】
本発明の第２の側面によると、上述に公開された方法に応じて製作される物品が公開される。
【発明を実施するための最良の形態】
【００１１】
本発明の実施例が図面を参照してこれから説明されよう。
図１で分かるように、第１ワイヤリングハーネス１が図示されており、２つの雄差し込み２、３および１個の雄差し込み４がある。差し込み２、３および４は一般的にＹ型形状で用意される６本の配線５によって相互に接続されている。所望のＹ型形状に配線５は「ARMACEL」処理を受ける間に、所望のＹ型形状に維持されるとともに該配線５と結合されるプラスチックの板７によって部分的にカプセルとなる。
【００１２】
同様に、図２に見られるように、第２ワイヤリングハーネス１０にはその間に一般的な形状で準備される６本の配線１５が延びる２つの雌の差し込み１１、１２がある。
【００１３】
再び、該配線１５は、さらにその所望のＵ型形状で該配線１５と結合されるプラスチック材料の板１７によって部分的にカプセルとなるよう「ARMACEL」処理を受ける。「ARMACEL」処理の完了後、板１７は修正仕上げされて図２の破線によって指示される円状の孔１９が作り出される。
【００１４】
ワイヤリングハーネスの技術に熟練した人々によって２本のハーネス１、２は「ARMACEL」処理を利用して廉価にかつ容易に製作可能であることが認められる。このように、後の自由な使用や取扱いのために貯蔵可能である恒久的な構成部品が製作される。
【００１５】
次に、図３に戻ると、中央孔２９のあるケーブルトレー２１には２つの第１ワイヤリングハーネス１およびその間に挿入される１つの第２ワイヤリングハーネス１０が設けられる。図３に示されるように、所望の相互接続の準備ならびに配線２５の配置が行われる。ハーネス１および１０が、「ARMACEL」処理が実行される装置の定盤上に順次位置するケーブルトレー２１上に一旦置かれるとともに、差し込み４、１１および１２、４が相互に接続されると、ケーブルトレー２１全体が「ARMACEL」処理を受けることが可能となる。これは、配線５、１５および２５ならびに差し込み４、１１、１２および４が部分的にカプセルになるとともに、これら３つのハーネス１、１および１０がケーブルトレー２１に結合されるよう、図３に図示される側から板２７１（図４）について最初に行われる。その後、ケーブルトレー２１の後側（つまり、図３では見えない側）が、図４に示すように最終の完全なカプセルとなったケーブルトレーが作られるよう板２７２についての「ARMACEL」処理を受ける。
【００１６】
図４に関連して、プラスチック材料の２７１、２７２の個別の板間に描かれた落差は図示の目的で描かれたに過ぎないと同時に、実際には存在しないことが理解されなくてはならない。そうではなく、個々の板２７１、２７２は隣接の物体にぴったり引き寄せられかつ結合される。
【００１７】
ワイヤリング技術に熟練した人々にとってはケーブルトレー２１により多数の様々な実質的な利点が提供されることが明らかであろう。第１に、例えば、ケーブルトレー２１の中央孔２９は、いくつかの別の物体あるいは突出物と組にするかあるいは通行を可能にするために必要とされる場合の状況に合わせるよう任意の形状で作成可能である。さらに、配線５、１５および２５はほぼ全体がカプセルとなるとともに、従って、従来のケーブルトレーについてまわる任意の振動、絶縁の無効化、および同様な問題に対して保護される。さらに、相互噛合された差し込み４、１１および１２、４は同様に完全なカプセルとなるので、振動の結果として電気的な相互接続が外れるようになる可能性が無くなって恒久的に接続が維持される。さらに、相互接続される差し込みもまた効率的に密封状態でシールされるとともにこれらの接触部は腐食を受けることがない。
【００１８】
多くの従来の電気絶縁材料はプラスチック板７、１７、２７１および２７２が概して湿気に対して完全に浸透しないのに対して水蒸気に対しては浸透可能であるのでこれは海洋環境での特別な利点である。
【００１９】
第２実施例が図５から図９に図示されている。ここでは、例えば、ポリスチレンあるいは厚紙の４枚の長方形平板が壁ユニットあるいはパレットケージユニットの段３２が形成されるために準備されている。図６に図示されるように、平板３１はその最終位置におかれるとともにプラスチック材料の板３７が平板３１を部分的にカプセルにするために利用されると同時にその最終の所望位置に同じに維持される。「ARMACEL」処理のこの当初の適用結果はプラスチック板３７が破線３８に沿って修正仕上げされるよう予定される場合の図１に図示される。こうして、４枚の個々の平板３１は個別壁ユニットあるいは段３２としてその最終の所望の形状に保持される。
【００２０】
図８で分かるように、３つの個別の段３２は個別の段高さの３倍あるパレットケージをつくりだすために上下に配置可能である。再度、プラスチック板４７１が当初からパレットケージ４１を部分的にカプセルにするために利用される。パレットケージ４１はその後、裏返しされるとともに、第２プラスチック板４７２が反対方向のパレットケージ４１を部分的にカプセルにするために用いられ、これによって図９に図示されるように最終のカプセルになったパレットケージ４１にまで至る。
【００２１】
技術に熟練した人々にとって、最終物体を組立てる場合に中間あるいは初期の段階としての「ARMACEL」処理の利用により、構成部品を一体に接着や釘留めする先行技術の方法を越える多くの様々な実質的な利点が与えられるということが明らかであろう。特に、「ARMACEL」処理は迅速かつ廉価であるので特に時間の相当な節約が実現可能である。
【００２２】
これまでは本発明のいくつかの実施例のみが記述されているがさらに技術に熟練した人々にとって明らかな修正実施例も本発明の範囲からそれることなくさらに構成可能である。例えば、ある形状で、接着剤や締結材を使わずあるいは事前カプセル化をしないで行われる複数片物品の部品組立が「ARMACEL」処理を利用して可能であり、その一実施例が本処理を利用する構成部品から組立てられる釘無しパレットである。
【００２３】
ここで用いられる用語「含まれる」（ならびにその文法上の変型類）は「有する」あるいは「包含する」であって「だけが含まれる」の排他的意味ではなく包括的意味で用いられる。
【図面の簡単な説明】
【００２４】
【図１】組立に先立つ所望の最終形状に保たれるワイヤリングハーネスの形の第１構成部品の透視図である。
【図２】組立に先立つ所望の最終形状に保たれる第２構成部品（これもワイヤリングハーネス）の透視図である。
【図３】第１ワイヤリングハーネス構成部品ならびに第２ワイヤリングハーネス構成部品の単体の２つを一体にするケーブルトレイの側面立面図である。
【図４】図３のケーブルトレイを貫通する横断面図である。
【図５】ユニット高さのパレットケージが構築されるために用いられる４つの個別片の透視図である。
【図６】その所望の最終製品形状でかつ部分的にカプセルにされる直前の図５の片類が示された透視図である。
【図７】修正仕上げに先立ち完成した部分的にカプセルとなったパレットケージのユニットが示される透視図である。
【図８】全体がカプセルとなる直前の上下に積み重ねられた部分的に３つのカプセルとなったパレットケージユニットが示される分解透視図である。
【図９】３段が１カプセルとなったパレットケージが示される横断面図である。
【図１】
2007516866.tif 000003
【図２】
2007516866.tif 000004
【図３】
2007516866.tif 000005
【図４】
2007516866.tif 000006
【図５】
2007516866.tif 000007
【図６】
2007516866.tif 000008
【図７】
2007516866.tif 000009
【図８】
2007516866.tif 000010
【図９】
2007516866.tif 000011
【国際調査報告】
2007516866.tif 000012
2007516866.tif 000013